【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
第１のダウンリンク送信と関連付けられた第１のダウンリンク制御情報（ＤＣＩ）を受信し、前記第１のＤＣＩは、第１の符号ブロック（ＣＢ）ベースのハイブリッド自動再送要求（ＨＡＲＱ）フィードバックが前記第１のダウンリンク送信のために提供されることになることを示しており、
少なくとも１つのトランスポートブロック（ＴＢ）を含む前記第１のダウンリンク送信を受信し、前記少なくとも１つのＴＢは、１つ以上の符号ブロックグループ（ＣＢＧ）を含み、各ＣＢＧは１つ以上の符号ブロックを含んでおり、
前記第１のダウンリンク送信に関連付けられた前記第１のＣＢベースのＨＡＲＱフィードバックを送信し、
第２のダウンリンク送信と関連付けられた第２のＤＣＩを受信し、前記第２のダウンリンク送信は前記第１のダウンリンク送信の少なくとも一部の再送信を含んでおり、
前記第２のダウンリンク送信を受信し、
前記第２のＤＣＩが、第２のＣＢベースのＨＡＲＱフィードバックが前記第１のダウンリンク送信の少なくとも一部を含む前記第２のダウンリンク送信のために提供されることになることを示しているとの決定に基づいて、前記第２のダウンリンク送信に関連付けられた当該第２のＣＢベースのＨＡＲＱフィードバックを送信する
ように構成されたプロセッサ
を備えた無線送受信ユニット（ＷＴＲＵ）。
【請求項２】
前記プロセッサは、周波数ドメインまたは時間ドメインのうちの少なくとも一方における、前記１つ以上の符号ブロックの１つ以上のＣＢＧへのマッピングを決定するようさらに構成された請求項１に記載のＷＴＲＵ。
【請求項３】
前記マッピングは、前記１つ以上の符号ブロックグループに割り当てられたサブキャリアまたは直交周波数分割多重（ＯＦＤＭ）シンボルの数、最大符号ブロック長、前記第１のダウンリンク送信における符号ブロックグループの数、前記第１のダウンリンク送信における符号ブロックの数、ならびに、潜在的なプリエンプティング送信によって占有される時間シンボルの数またはリソースブロックの数のうちの１つ以上に基づいている請求項２に記載のＷＴＲＵ。
【請求項４】
前記第１のダウンリンク送信に関連付けられた前記第１のＣＢベースのＨＡＲＱフィードバックまたは前記第２のダウンリンク送信に関連付けられた前記第２のＣＢベースのＨＡＲＱフィードバックは、前記対応する符号ブロックの各々が成功裏にデコードされた場合は肯定応答（ＡＣＫ）であり、前記対応する符号ブロックの１つ以上が成功裏にデコードされなかった場合は否定応答（ＮＡＣＫ）である請求項１に記載のＷＴＲＵ。
【請求項５】
前記第２のＤＣＩは、いずれのＣＢＧが再送信のためのものであるかを示し、前記第２のＤＣＩは、前記再送信の中に含まれるいずれのＣＢＧが、ソフトデコーディングを実施するときに先に受信されたＣＢＧと組み合わせることが可能なのかを示し、前記第１のダウンリンク送信または前記第２のダウンリンク送信はＨＡＲＱプロセスと関連付けられている請求項１に記載のＷＴＲＵ。
【請求項６】
前記第２のＤＣＩはビットマップを含み、前記ビットマップは、前記再送信の中におけるいずれのＣＢＧが、ソフトデコーディングを実施するときに先に受信されたＣＢＧと組み合わせることが可能であるかを示している請求項１に記載のＷＴＲＵ。
【請求項７】
ＨＡＲＱバッファをさらに備え、前記プロセッサは、前記ＨＡＲＱバッファを管理し、および、前記１つ以上の符号ブロックが成功裏にデコードされない場合に前記ＨＡＲＱバッファ内のデータを廃棄するようにさらに構成された請求項１に記載のＷＴＲＵ。
【請求項８】
前記プロセッサは、上位レイヤ構成を経由して、ＣＢＧカウントの数を受信するようさらに構成され、ＣＢＧカウントの前記数は、物理ダウンリンク共有チャネル（ＰＤＳＣＨ）上で前記第１のダウンリンク送信において前記ＷＴＲＵによって受信されたＣＢＧの数を示している請求項１に記載のＷＴＲＵ。
【請求項９】
第１のダウンリンク送信と関連付けられた第１のダウンリンク制御情報（ＤＣＩ）を受信するステップであって、前記第１のＤＣＩは、第１の符号ブロック（ＣＢ）ベースのハイブリッド自動再送要求（ＨＡＲＱ）フィードバックが前記第１のダウンリンク送信のために提供されることになることを示している、ステップと、
少なくとも１つのトランスポートブロック（ＴＢ）を含む前記第１のダウンリンク送信を受信するステップであって、前記少なくとも１つのＴＢは、１つ以上の符号ブロックグループ（ＣＢＧ）を含み、各ＣＢＧは１つ以上の符号ブロックを含んでいる、ステップと、
前記第１のダウンリンク送信に関連付けられた前記第１のＣＢベースのＨＡＲＱフィードバックを送信するステップと、
第２のダウンリンク送信と関連付けられた第２のＤＣＩを受信するステップであって、前記第２のダウンリンク送信は前記第１のダウンリンク送信の少なくとも一部の再送信を含んでいる、ステップと、
前記第２のダウンリンク送信を受信するステップと、
前記第２のＤＣＩが、第２のＣＢベースのＨＡＲＱフィードバックが前記第１のダウンリンク送信の少なくとも一部を含む前記第２のダウンリンク送信のために提供されることになることを示しているとの決定に基づいて、前記第２のダウンリンク送信に関連付けられた当該第２のＣＢベースのＨＡＲＱフィードバックを送信するステップと
を備える、無線送受信ユニット（ＷＴＲＵ）により実施される方法。
【請求項１０】
周波数ドメインまたは時間ドメインのうちの少なくとも一方における、前記１つ以上の符号ブロックの１つ以上のＣＢＧへのマッピングを決定するステップ
をさらに備える請求項９に記載の方法。
【請求項１１】
前記マッピングは、前記１つ以上の符号ブロックグループに割り当てられたサブキャリアまたは直交周波数分割多重（ＯＦＤＭ）シンボルの数、最大符号ブロック長、前記第１のダウンリンク送信における符号ブロックグループの数、前記第１のダウンリンク送信における符号ブロックの数、ならびに潜在的なプリエンプティング送信によって占有される時間シンボルの数またはリソースブロックの数のうちの１つ以上に基づく請求項１０に記載の方法。
【請求項１２】
前記第１のダウンリンク送信に関連付けられた前記第１のＣＢベースのＨＡＲＱフィードバックまたは前記第２のダウンリンク送信に関連付けられた前記第２のＣＢベースのＨＡＲＱフィードバックは、前記対応する符号ブロックの各々が成功裏にデコードされた場合は肯定応答（ＡＣＫ）であり、前記対応する符号ブロックの１つ以上が成功裏にデコードされなかった場合は否定応答（ＮＡＣＫ）である請求項９に記載の方法。
【請求項１３】
前記第２のＤＣＩは、いずれのＣＢＧが再送信のためのものであるかを示し、前記第２のＤＣＩは、前記再送信の中にけるいずれのＣＢＧが、ソフトデコーディングを実施するときに先に受信されたＣＢＧと組み合わせることが可能なのかを示し、前記第１のダウンリンク送信または前記第２のダウンリンク送信はＨＡＲＱプロセスと関連付けられている請求項９に記載の方法。
【請求項１４】
前記第２のＤＣＩはビットマップを含み、前記ビットマップは、前記再送信の中におけるいずれのＣＢＧが、ソフトデコーディングを実施するときに先に受信されたＣＢＧと組み合わせることが可能であるかを示している請求項９に記載の方法。
【請求項１５】
ＨＡＲＱバッファと、
前記ＨＡＲＱバッファを管理し、および、前記１つ以上の符号ブロックが成功裏にデコードされない場合に前記ＨＡＲＱバッファ内のデータを廃棄するステップ
をさらに備える請求項９に記載の方法。
【請求項１６】
上位レイヤ構成を経由して、ＣＢＧカウントの数を受信するステップであって、ＣＢＧカウントの前記数は、物理ダウンリンク共有チャネル（ＰＤＳＣＨ）上で、前記第１のダウンリンク送信において前記ＷＴＲＵによって受信されたＣＢＧの数を示している、ステップ
をさらに備える請求項９に記載の方法。